(57)【特許請求の範囲】
【請求項１】
本体部の上部に設置されて曲げが発生した工作物の一方の面を磁力により固定する導磁体、
上記本体部の下部に設置されて上記導磁体を結合された下板、
磁性体材料で製作され、絶縁手段が挿入される収容部が形成され、上記下板と固定されている本体部、
上記本体部の収容部に挿入され、内部に絶縁コイルとアルニコ磁石が内蔵されており、工作物の固定力を提供する絶縁手段、および、
支持部材の上部に設置されて上記工作物の他方の面と上記アルニコ磁石の磁場を介して付着されている固定部材を含む
ことを特徴とするマグネチック・チャック。
【請求項２】
請求項１において、上記絶縁手段は、エポキシグラナイトを介して製造される人造石、大理石で設けられており、内部に上記絶縁コイルと上記アルニコ磁石が内蔵されている
ことを特徴とするマグネチック・チャック。
【請求項３】
請求項１において、上記固定部材は、上記絶縁手段の一方に導磁体からなる締結手段を介して固定結合され、上記マグネチック・チャックの位置変更、上記工作物の加工面に対する位置変更を可能とする
ことを特徴とするマグネチック・チャック。
【請求項４】
請求項１において、上記本体部および上記下板は、その一方に複数の締結孔を形成して固定ボルトを介して固定結合され、上記本体部の垂直に曲げ形成された他方の面と上記下板との間に、導磁体固定ボルトを介して上記絶縁手段に結合され上記工作物表面の正面、背面、左右側面、平面、底面と上面の６面加工と直角加工が可能なように設けられている
ことを特徴とするマグネチック・チャック。
【請求項５】
請求項１において、上記マグネチック・チャックの下部において、上記本体部および上記絶縁手段と、上記下板との間に、鋼板が結合されている
ことを特徴とするマグネチック・チャック。
【請求項６】
請求項１において、上記本体部と上記絶縁手段の一方に延長形成され、一体に延長されて上記工作物の加工を可能とする延長部が形成される
ことを特徴とするマグネチック・チャック。
【請求項７】
２個の単位マグネチック・チャックを含み、
上記単位マグネチック・チャックが、各々、
下板、
磁性体材料で製作され、絶縁手段が挿入される収容部が形成され、上記下板と固定されている本体部、および、
上記本体部の収容部に挿入され、内部に絶縁コイルとアルニコ磁石が内蔵されており、工作物の固定力を提供する絶縁手段を含み、
上記２個の単位マグネチック・チャックの各々の上記下板を双方に共通の下板として用い、上記双方に共通の下板に一定間隔離隔されるように、上記２個の単位マグネチック・チャックが設けられ、上記２個の単位マグネチック・チャックは互いに対向する方向に設けられ、複数の相反する磁極に導磁されて上記工作物を媒介として一方の単位マグネチック・チャックと他方の単位マグネチック・チャックが磁化されながら、上記工作物を取り付けて加工する
ことを特徴とするマグネチック・チャック。
【請求項８】
請求項７において、上記単位マグネチック・チャックにおいて、上記絶縁手段の一部が、上記工作物の両側面にのみ磁場が形成されるように、上記本体部の垂直な面と上記下板との間に設けられており、上記垂直な面に工作物が磁力により付着されるように固定治具が設置されている
ことを特徴とするマグネチック・チャック。
【請求項９】
請求項７において、上記単位マグネチック・チャックにおいて、上記絶縁手段の一方に導磁体を締結手段を介して締結して上記本体部と上記導磁体とを一体化させ、上記本体部と上記導磁体の上部に挿入溝を形成して、曲げが発生した上記工作物の下面を支持する支持手段が挿入されている
ことを特徴とするマグネチック・チャック。
【請求項１０】
請求項９において、上記支持手段は、上記単位マグネチック・チャックに上記工作物を取り付けられるようにアルニコ磁石から発生する磁場を上記工作物側に導磁する連結媒体として使用される
ことを特徴とするマグネチック・チャック。
【請求項１１】
請求項９または１０において、互いに対向する上記２個の単位マグネチック・チャックの間に、上記支持手段が挿入固定される固定溝が形成されたベースブロックが設けられ、上記ベースブロックの固定溝に挿入された上記支持手段が、曲げが発生した上記工作物の内面の中央部を支持する
ことを特徴とするマグネチック・チャック。
【発明の詳細な説明】
【技術分野】
【０００１】
本発明は、マグネチック・チャックに関するものである。さらに詳細には、曲がった状態の工作物の形状を維持しながら、工作物の平坦度を維持するための研削加工が可能なように、マグネチック・チャックから流れる磁力線が工作物の両端にのみ流れるようにすることにより、工作物の曲がった表面を維持した状態でも上面加工が可能であり、工作物の平面および直角加工と工作物の両側面の直角加工も別途の治具を使用していなくても精密な加工が可能であり、簡単な治具を用いて、任意の角度加工と丸棒加工など、さまざまな加工を可能とするだけでなく、取付時にのみ電気を印加することにより、省電力効果はもちろん、電源線の断線時でも、工作物は付着したままの状態で安全に加工が可能なマグネチック・チャックに関するものである。
【背景技術】
【０００２】
図１は、従来技術によるマグネチック・チャックを示す図である。
【０００３】
図示のように、従来技術によるマグネチック・チャックにおいては、本体（１００）の収容溝（１０２）に絶縁コイルが設けられており、アルニコ（Ａｌｎｉｃｏ）または鉄心からなるコア（１２０）が挿入され、絶縁コイルの電源接続部が通電可能に接続されて、これを外部からの電源印加が行われる電源線（１２２）に通電可能に接続する。
【０００４】
また、絶縁・非磁性体である高分子合成樹脂のような液状の充填材（１４０）を本体（１００）の収容溝（１０２）に充填して硬化させた後、締結部材を介して本体（１００）と、上板（１６０）が締結されることにより、マグネチック・チャックが構成されているものである。
【０００５】
このような従来技術によるマグネチック・チャックの電源線（１２２）を通して電源を印加すると、絶縁コイルの中心に配置されたコア（１２０）は、磁化されて極性を持つことになる。
【発明の概要】
【発明が解決しようとする課題】
【０００６】
しかし、従来のマグネチック・チャックにおいては、上板（１６０）の磁気パネル（１６２）と締結用パネル（１６４）が本体（１００）の両側枠と仕切（１１２）とコア（１２０）に触れながら、該当する位置にしたがって、異なる極性を帯びることにより、本体（１００）の前・背面枠と上板（１６０）との間には必ず非磁性ストライプ（１６６）を備えて、これらの間の直接的な接触が行われないように磁場を遮断しなければならず、部品点数が増大してしまい、これにより組立工数が増加してしまうという問題があった。
【０００７】
また、締結用パネル（１６４）と磁気パネル（１６２）とを積層構成し、ナットとボルトを介して締結を行い、６面全体をフライス加工と研削加工を行い、下部構造体である本体（１００）と結合するという複雑な構造で構成されることにより、製品のコストが高くなり、メンテナンスが不利になるという問題があった。
【０００８】
また、従来のマグネチック・チャックにおいては、収容溝（１０２）や配線接続穴などの本体（１００）の複雑な構造を、加工機などで切削加工する必要があることにより、材料の無駄が生じ、製造が難しく、製品コストの上昇の原因となるという問題があった。
【０００９】
さらに、従来のマグネチック・チャックにおいては、収容溝（１０２）の周囲の面が枠と仕切（１１２）とによってすべて密閉される構造をなしていることにより、マグネチック・チャックをリサイクルする際に、充填材（１４０）と、これに内設されたコア（１２０）や絶縁コイルとを本体（１００）の収容溝（１０２）から分離するのが難しいという問題があった。
【００１０】
加えて、従来技術によるマグネチック・チャックは、工作物が装着されている上板（１６０）のベース面に工作物を固定するためにマグネチック・チャックの本体（１００）を作動させると、この上板（１６０）にのみ磁場が発生してワークが固定されることにより、工作物の種類、加工方法など、さまざまな加工条件に応じたマグネチック・チャックを提供することができないという問題があった。
【００１１】
特に、工作物が曲がっている状態の工作物の場合には、工作物が磁場により上板（１６０）のベース面に完全に平面のように密着され、工作物の素材自体に変形が発生することになるために、研削加工などを介して平坦度の加工を行った後、マグネチック・チャックの動作を停止すると、工作物の曲げ状態が復元され、平坦度の加工が高精度に行われないという問題があった。
【００１２】
これにより、曲がった工作物の平坦度を維持するために、工作物の曲げの面と床面の狭い隙間を、工作物が正確に曲がった状態で磁力により支持することが極めて難しく、支持用治具または支持具などを設置しなければならない煩わしさが存在することにより、作業工数が増加するという問題があった。
【００１３】
このような問題を解決するために、本発明は、曲がった状態の工作物の形状を維持しながら、工作物の平坦度を維持するための研削加工が可能なように、マグネチック・チャックから流れる磁力線が補助支持治具を介して工作物の両端にのみ流れるようにすることで、工作物の曲がった表面を維持した状態でも、工作物上面の平面加工が可能であり、工作物の平面と直角加工の両側面の直角加工も別途の治具を使用していなくても、精密な加工が可能であり、６面体の正確な直角加工と丸棒加工や治具を利用した任意の角度加工、Ｘ軸に対する任意の角度加工、および、Ｙ軸に対するさまざまな加工が容易なマグネチック・チャックを提供することにその目的がある。
【課題を解決するための手段】
【００１４】
このような課題を達成するための本発明は、本体部の上部に設置されて曲げが発生した工作物の一方の面を磁力により固定する導磁体、上記本体部の下部に設置されて上記導磁体を結合された下板、磁性体材料で製作され、絶縁手段が挿入される収容部が形成され、上記下板と固定されている本体部、上記本体部の収容部に挿入され、内部に絶縁コイルとアルニコ磁石が内蔵されており、工作物の固定力を提供する絶縁手段、および、支持部材の上部に設置されて上記工作物の他方の面と上記アルニコ磁石の磁場を介して付着されている固定部材を含むことを特徴とするマグネチック・チャックを提供する。
【００１５】
また、本発明において、上記絶縁手段は、エポキシグラナイトを介して製造される人造大理石で構成されており、内部に絶縁コイルとアルニコ磁石が内蔵されていることを特徴とするマグネチック・チャックを提供する。
【００１６】
また、本発明において、上記固定部材は、上記絶縁手段の一方に導磁体からなる締結手段を介して固定結合されているマグネチック・チャックの垂直面と、その上面にも、上記工作物が取り付けられ、マグネチック・チャックの下面も磁力によって付着するので、上記マグネチック・チャックの位置変更、上記工作物の加工面に対する位置の変更を可能とすることを特徴とするマグネチック・チャックを提供する。
【００１７】
また、本発明において、上記本体部と上記下板は、その一方に多数の締結孔を形成して固定ボルトを介して固定結合され、上記本体部の垂直に曲げ形成された他方の面と上記下板との間に上記絶縁手段が挿入されて、工作物の正面、背面、左右側面、平面、底面と上面の６面の加工が可能とされることを特徴とするマグネチック・チャックを提供する。
【００１８】
また、本発明において、上記マグネチック・チャックは、２個の単位マグネチック・チャックを含み、上記単位マグネチック・チャックが、各々、下板、磁性体材料で製作され、絶縁手段が挿入される収容部が形成され、上記下板と固定されている本体部、および、上記本体部の収容部に挿入され、内部に絶縁コイルとアルニコ磁石が内蔵されており、工作物の固定力を提供する絶縁手段を含み、上記２個の単位マグネチック・チャックの各々の上記下板を双方に共通の下板として用い、上記双方に共通の下板に一定間隔離隔されるように、上記２個の単位マグネチック・チャックが設けられ、上記２個の単位マグネチック・チャックは互いに対向する方向に設けられ、複数の相反する磁極に導磁されて上記工作物を媒介として一方の単位マグネチック・チャックと他方の単位マグネチック・チャックが磁化されながら、上記工作物を取り付けて加工することを特徴とするマグネチック・チャックを提供する。
【００１９】
また、本発明において、上記単位マグネチック・チャックにおいて、上記絶縁手段の一部が、上記工作物の両側面にのみ磁場が形成されるように、上記本体部の垂直な面と上記下板との間に設けられており、上記垂直な面に工作物が磁力により付着されるように、固定治具が設置されていることを特徴とするマグネチック・チャックを提供する。
【００２０】
また、本発明において、上記マグネチック・チャックは、絶縁手段の一方に導磁体を締結手段を介して締結して、上記本体部と上記導磁体とを一体化させて、上記本体部と導磁体の上部に挿入溝を形成して曲げが発生した工作物の下面を支持する支持手段が挿入されていることを特徴とするマグネチック・チャックを提供する。
【００２１】
また、本発明において、上記支持手段は、上記単位マグネチック・チャックに上記工作物を取り付けられるようにアルニコ磁石から発生する磁場を上記工作物側に導磁（磁化）するように連結媒体として使用され、また、互いに対向する上記２個の単位マグネチック・チャックの間に、上記支持手段が挿入固定される固定溝が形成されたベースブロックが設けられ、上記ベースブロックの固定溝に挿入された上記支持手段が、曲げが発生した上記工作物の内面の中央部を支持することを特徴とするマグネチック・チャックを提供する。
【００２２】
また、本発明において、上記マグネチック・チャックの下部には、上記本体部および上記絶縁手段と、上記下板との間に、鋼板が結合されていることを特徴とするマグネチック・チャックに関するものである。
【発明の効果】
【００２３】
このような本発明によれば、曲がった状態の工作物の形状を維持しながら、工作物の平坦度を維持するための研削および切削加工が可能なように、マグネチック・チャックから流れる磁力線が工作物の両端にのみ流れるようにすることで、工作物の平面と直角加工と工作物の両側面の直角加工も別途の治具を使用しなくても精密な６面の直角加工が可能であり、補助支持治具を使用した任意のＸ軸およびＹ軸の角度加工と丸棒加工など、さまざまな加工が容易に可能である。
【図面の簡単な説明】
【００２４】
【図１】従来技術によるマグネチック・チャックを示す断面図である。
【図２】本発明の好ましい第１実施例に係るマグネチック・チャックを示す斜視図である。
【図３】本発明の好ましい第１実施例に係るマグネチック・チャックを示す斜視図である。
【図４】本発明の好ましい第１実施例に係るマグネチック・チャックを示す斜視図である。
【図５】本発明の好ましい第１実施例に係るマグネチック・チャックを示す要部断面図である。
【図６】本発明の好ましい第１実施例に係るマグネチック・チャックを示す要部断面図である。
【図７ａ】本発明の好ましい第１実施例に係るマグネチック・チャックを示す要部断面図である。
【図７ｂ】本発明の好ましい第１実施例に係るマグネチック・チャックを示す要部断面図である。
【図８】本発明の好ましい第２実施例に係るマグネチック・チャックを示す図面である。
【図９ａ】本発明の好ましい第２実施例に係る複数のマグネチック・チャックを介して工作物を固定している状態を示す図面である。
【図９ｂ】本発明の好ましい第２実施例に係る複数のマグネチック・チャックを介して工作物を固定している状態を示す図面である。
【図９ｃ】本発明の好ましい第２実施例に係る複数のマグネチック・チャックを介して工作物を固定している状態を示す図面である。
【図１０】本発明の好ましい第３実施例に係るマグネチック・チャックを示す図面である。
【図１１】本発明の好ましい第３実施例に係るマグネチック・チャックを示す図面である。
【図１２】本発明の好ましい第４実施例に係るマグネチック・チャックを示す図面である。
【図１３】本発明の好ましい第４実施例に係るマグネチック・チャックを示す図面である。
【図１４】本発明の好ましい第５実施例に係るマグネチック・チャックを示す図面である。
【図１５】本発明の好ましい第５実施例に係るマグネチック・チャックを示す図面である。
【図１６】本発明の好ましい第５実施例に係るマグネチック・チャックを示す図面である。
【図１７】本発明の好ましい第５実施例に係るマグネチック・チャックを示す図面である。
【発明を実施するための形態】
【００２５】
本発明は、曲げが発生した工作物の一方の面を磁力により固定する導磁体と結合された下板、磁性体材料で製作され、一方が開放されて、絶縁手段が挿入される収容溝が形成され、上記下板と固定されている本体部、上記本体部の収容溝に挿入され、内部に絶縁コイルとアルニコ磁石が内蔵されており、工作物の強固な固定力を提供する絶縁手段、および、上記本体部の上部に設置されて工作物の他方の面とアルニコ磁石の磁場を介して付着されている支持部材を含むことを特徴とするマグネチック・チャックを提供する。
【００２６】
以下、本発明の好ましい実施例を添付の図面を参照して詳しく説明する。まず、各図面の構成要素に参照符号を付加する場合において、同一の構成要素については、たとえ他の図面上に表示されても可能な同一の符号を持つようにしていることに留意しなければならない。また、本発明を説明するにあたり、関連した公知の構成または機能に対する具体的な説明が本発明の要旨をかえって不明にすると判断される場合には、その詳細な説明は省略する。
【００２７】
図２乃至図４は、本発明の好ましい第１実施例に係るマグネチック・チャックを示す斜視図、図５〜図７ｂは、本発明の好ましい第１実施例に係るマグネチック・チャックを示す要部断面図、図８は、本発明の好ましい第２実施例に係るマグネチック・チャックを示す図、図９ａ〜図９ｃは、本発明の好ましい第２実施例に係る複数のマグネチック・チャックを介して工作物を固定している状態を示す図、図１０および図１１は、本発明の好ましい第３実施例に係るマグネチック・チャックを示す図、図１２および図１３は、本発明の好ましい第４実施例に係るマグネチック・チャックを示す図、図１４〜図１７は、本発明の好ましい第５実施例に係るマグネチック・チャックを示す図である。
【００２８】
図示されるように、本発明の第１実施例に係るマグネチック・チャック（２００）は、内部に絶縁手段（２２０）が挿入されるように収容溝が形成された本体部（２１０）と、一方が本体部（２１０）に収容され、内部に絶縁コイル（２２２）とアルニコ磁石（２２４）が内蔵されている絶縁手段（２２０）と、絶縁手段（２２０）の他方に設けられており、絶縁手段（２２０）の一方にボルトで固定されて、工作物の一面が磁力によって固定されるように、磁性体からなる支持部材（２０４）と、マグネチック・チャック（２００）の下部に設けられており、本体部（２１０）および絶縁手段（２２０）と、下板（２０２）との間に設けられている鋼板（２０８）とを、含むように構成されている。
【００２９】
本体部（２１０）は、磁性体材料で製作され、一方が開放されて、絶縁手段（２２０）が挿入されて収容されるように収容溝が形成されている。
【００３０】
この本体部（２１０）は、その下部で磁性体である下板（２０２）と固定ボルト（図示せず）のような締結手段によって固定結合され、表面熱処理が行われ、工作物との接触による傷が発生することを防止するように設けられている。
【００３１】
また、本体部（２１０）の上部には、工作物の一面を磁力により固定できるようにする導磁体（２３０）が設けられている。
【００３２】
絶縁手段（２２０）は、本体部（２１０）の内部に形成された収容溝に挿入されて固定されているものであり、内部に絶縁コイル（２２２）とアルニコ磁石（２２４）が内蔵され、外部電源を絶縁コイル（２２２）に印加した場合に、アルニコ磁石（２２４）を磁化させてアルニコ磁石（２２４）を介してのみ磁力線が流れるように誘導して、アルニコ磁石（２２４）、本体部（２１０）、下板（２０２）を介して工作物を磁力によって強固な付着力を提供する。
【００３３】
さらに、本発明の絶縁手段（２２０）は、液状の樹脂を用いて硬化される従来の方式とは異なり、エポキシグラナイトなどを介して製造される人造大理石などで構成することにより、絶縁手段（２２０）の摩耗を防止できるようになることはもちろん、工作物との反復的な接触によって発生するキズなどの損傷を最小限に抑えることができようになる。また、一定以上の強度を持つことにより、マグネチック・チャック（２００）の上面の平坦度の維持が容易になり、内部に加工液および微細な異物が侵入することを防止することが可能になる。
【００３４】
支持部材（２０４）は、本体部（２１０）と対向される方向、すなわち、絶縁手段（２２０）の一方に密着されるように固定され、下端が下板（２０２）と締結手段を介して固定結合されているものであり、磁力によってマグネチック・チャック（２００）を下板（２０２）とテーブルとに付着させ、工作物の他方の部分を支持するとともに、絶縁コイル（２２２）に電源が印加されてアルニコ磁石（２２４）からの磁場が形成され磁力線が発生した場合に、工作物の他方の部分が付着されるように固定部材（２０６）が固定ボルトを介して絶縁手段（２２０）と結合されるように設けられているものである。
【００３５】
ここで、支持部材（２０４）は、図３に示すように、後述する絶縁手段（２２０）の一方に締結手段を介して固定結合されており、マグネチック・チャック（２００）の移動性を向上させることができる。
【００３６】
つまり、マグネチック・チャック（２００）を下板（２０２）に磁力を介して固定させるために支持部材（２０４）を絶縁手段（２２０）と固定ボルトとによって固定結合することにより、一つのアセンブリで、構成に応じてアルニコ磁石（２２４）を介して流れる磁力線によって、工作物の固定をより便利に行うことが可能であり、言うまでもなく、下板（２０２）でマグネチック・チャック（２００）の位置変更や、ワークの加工面に対する位置変更などを容易に行うことができるものである。
【００３７】
あわせて、図４に示すように、導磁体（２３０）が、絶縁手段（２２０）の一方に固定ボルトを介して固定結合されるように設けられている。これは、本体部（２１０）の一面と下板（２０２）との間に位置する工作物の直角度を維持するためのもので、本体部（２１０）、下板（２０２）および絶縁手段（２２０）に結合された導磁体（２３０）の３面支持を介して、マグネチック・チャック（２００）と工作物との間の直角度を容易に維持することができるようになる。
【００３８】
このような本発明の第１実施例に係るマグネチック・チャック（２００）は、図５および図６に示すように、曲げが発生した工作物を加工するために、マグネチック・チャック（２００）の上側に工作物を装着させた後、絶縁コイル（２２２）に電源を印加すると、アルニコ磁石（２２４）が磁化され、このアルニコ磁石（２２４）でアルニコ磁石（２２４）の下部に設けられた下板（２０２）に磁力が流れるが、この下板（２０２）と、支持部材（２０４）と、この支持部材（２０４）に結合された固定部材（２０６）とが、磁気的に連結されている。
【００３９】
この後、本体部（２１０）の上側に工作物と一緒にこの工作物を固定するための導磁体（２３０）を設置すると、アルニコ磁石（２２４）→下板（２０２）→支持部材（２０４）→固定部材（２０６）→工作物→導磁体（２３０）→本体部（２１０）→アルニコ磁石（２２４）の順に磁力が流れて、曲げが発生した工作物の両側面が磁力によって固定され、曲がった状態の工作物は、曲がった状態を維持したまま固定されて加工が行われるようにされ、絶縁手段（２２０）によってマグネット面での引張力が弱く曲がっている工作物の状態を維持したまま加工が行われるようにされ、加工後も曲がっていた状態を維持したまま加工面の平面がそのまま維持できるようにされる。
【００４０】
このような本発明の第１実施例に係るマグネチック・チャック（２００）は、図７ａに示すように、本体部（２１０）と絶縁手段（２２０）の一方に延長形成され、一体に延長されて高さが高いワークを加工する際に、ワイヤカットなどの工作機械とマグネチック・チャック（２００）が互いに衝突することを防止することができるように設けられている。つまり、延長部（２５０）と下板（２０２）を中心に工作物を磁力により付着して加工が行われるものである。
【００４１】
図７ｂに示すように、本体部（２１０）が絶縁手段（２２０）の上側面にのみ位置するようにして、この本体部（２１０）が絶縁手段（２２０）と固定ボルトを介して固定結合されることにより、マグネチック・チャック（２００）を製造するにあたり、製造費用および原価削減などの効果を得ることができるようになる。
【００４２】
一方、図８は、本発明の第２実施例に係るマグネチック・チャックを示す図面である。
【００４３】
図示されるように、本発明の第２実施例に係るマグネチック・チャック（２００）は、内部に絶縁手段（２２０）が挿入されるように収容溝が形成された本体部（２１０）と、一方が本体部（２１０）に収容され、内部に絶縁コイル（２２２）とアルニコ磁石（２２４）が内蔵されている絶縁手段（２２０）と、絶縁手段（２２０）の他方に設けられている工作物の一面が磁力によって固定されるように、磁性体からなる支持部材（２０４）とを含み、下板（２０２）と固定結合するための多数の締結孔（５０２）が形成された本体部（２１０）とで、構成されているものである。
【００４４】
すなわち、本体部（２１０）に形成された締結孔（５０２）は、固定ボルト（５００）を介して本体部（２１０）と下板（２０２）とを固定結合されるように形成することにより、マグネチック・チャック（２００）と下板（２０２）とが一体に設けられて、このマグネチック・チャック（２００）と離隔され、下板（２０２）に電源印加に応じて付着されるかどうかが決定される、もう一つのマグネチック・チャック（２００）を設けることにより、さまざまな加工が可能となる。
【００４５】
このように、下板（２０２）と一体に設けられたマグネチック・チャック（２００）は、図９ａ〜図９ｃに示すように、丸棒の工作物だけでなく、工作物の角度加工時の直角度を維持することができるものである。
【００４６】
すなわち、図９ａに示すように、本体部（２１０）の一方の面と下板（２０２）との間に丸棒の工作物を配置し、電源を印加して丸棒の工作物がマグネチック・チャック（２００）に付着されるように構成することにより、容易に丸棒加工を行うことができるようになる。
【００４７】
また、図９ｂに示すように、工作物の６面に対する直角加工と角度加工が可能であり、特に、角度加工の場合には、図９ｃに示すように、本体部（２１０）と下板（２０２）に所定の凹溝を形成し、この凹溝の角度に応じて、さまざまな角度加工が可能であることはもちろんである。
【００４８】
一方、図１０および図１１に示すように、本発明の第３実施例に係るマグネチック・チャック（２００）は、貫通加工が行われるように掘削（ｄｒｉｌｌｉｎｇ）加工が実行される工作物である場合には、本発明のマグネチック・チャック（２００）を互いに対向する方向に下板（２０２）に設置して、アルニコ磁石（２２４）から発生する磁場により工作物を媒介として一方のマグネチック・チャック（２００）と他方のマグネチック・チャック（２００）が磁化されながら、工作物を２個のマグネチック・チャック（２００）を介して固定することができる。これにより、図１１に示すように、２個のマグネチック・チャック（２００）が相反する極を形成するように設けられ、工作物が２個のマグネチック・チャック（２００）に取り付けられることになる。
【００４９】
あわせて、図１２および図１３に示すように、本発明の第４の実施例に係るマグネチック・チャック（２００）は、互いに対向する方向に下板（２０２）と工作機械に設定されたテーブル上面に設置され、本体部（２１０）の垂直な面に工作物が固定されて磁力により堅固に取付けが行われるように固定治具（６００）を設置し、この固定治具（６００）と本体部（２１０）との間に絶縁手段（２２０）が位置するように構成することにより、工作物の両側面のみ磁場が流れるようにして、この工作物を２個のマグネチック・チャック（２００）を介して固定することができる。
【００５０】
すなわち、図１３に示すように、複数で構成され、互いに対向する方向に設置されるマグネチック・チャック（２００）に電源を印加すると、アルニコ磁石（２２４）→本体部（２１０）→工作物→固定治具（６００）→下板（２０２）→アルニコ磁石（２２４）の順に磁力線が流れて、工作物の両側が磁力によって強固に固定されるように設けられ、工作物の中央部には磁場の影響がないよう設けられており、加工時に発生するチップが磁力によって工作物に付着するのを防止することができるものである。
【００５１】
一方、図１４〜図１７に示すように、本発明の第５の実施例に係るマグネチック・チャック（２００）は、本体部（２１０）と、この本体部（２１０）に固定結合されている絶縁手段（２２０）の露出されている面に締結手段によって締結された支持部材（２０４）とを設けており、この場合は、本体部（２１０）と支持部材（２０４）の上部面に、斜面の支持手段（７２０）が挿入される挿入溝（７１０）が長さ方向に沿って長く形成され、傾斜形成されているものである。
【００５２】
そして、図１５および図１６に示すように、下板（２０２）の上側に互いに対向方向に工作物を設置するが、支持手段（７２０）が内側に位置するようにマグネチック・チャック（２００）を設置して、本体部（２１０）と支持部材（２０４）に形成された挿入溝（７１０）に支持手段（７２０）を挿入位置を調整しながら固定して曲げが発生した工作物の面を支持するとともに、アルニコ磁石（２２４）から発生磁場を工作物側に導磁するように接続する連結媒体として使用することにより、マグネチック・チャック（２００）に工作物が固定されるように設けられているものである。
【００５３】
あわせて、図１７に示すように、本発明のマグネチック・チャック（２００）には、ベースブロック（８００）が設けられており、このベースブロック（８００）に支持手段（７２０）が挿入固定される固定溝（８１０）を形成することにより、工作物の長さが長い場合でも、曲げが発生した工作物の内面の中央部を支持して安定的にマグネチック・チャック（２００）に固定することができる。
【００５４】
このような本発明のマグネチック・チャック（２００）は、曲がった状態の工作物の形状を維持しながら、工作物の平坦度を維持するための研削および切削加工が可能なように設けられており、工作物の曲がった表面の平面を維持した状態でも、上面加工が可能であり、非常に便利である。
【００５５】
加えて、本発明の詳細な説明に未記載された図面符号「３００」は、工作物を指示する図面符号である。
【００５６】
以上の説明は、本発明の技術思想を例示的に説明したものに過ぎないものであって、本発明が属する技術分野で通常の知識を有する者であれば、本発明の本質的な特性から逸脱しない範囲で多様な修正および変形が可能である。したがって、本発明に開示された実施例は、本発明の技術思想を限定するためのものではなく説明するためのものであり、これらの実施例により、本発明の技術思想の範囲が限定されるものではない。本発明の保護範囲は、以下の請求の範囲によって解釈されるべきであり、それに相当する範囲内にあるすべての技術思想は本発明の権利範囲に含まれるものと解釈されるべきである。
【産業上の利用可能性】
【００５７】
本発明によれば、曲がった工作物の形状を維持しながら、工作物の平坦度を維持するための研削および切削加工が可能なように、マグネチック・チャックから流れる磁力線が工作物の両端にのみ流れるようにすることで、工作物の平面と直角加工の工作物両側面の直角加工も別途の治具を使用しなくても精密な６面の直角加工が可能であり、補助支持治具を使用した任意のＸ軸およびＹ軸の角度加工と丸棒加工など、さまざまな加工を容易にできる効果があり、非常に有用である。
【符号の説明】
【００５８】
２０２：下板、２０４：支持部材
２１０：本体部、２２０：絶縁手段
２２２：絶縁コイル、２２４：アルニコ磁石
２３０：導磁体、３００：工作物
５００：固定ボルト、６００：固定治具
７１０：挿入溝、７２０：支持手段
８００：ベースブロック、８１０：固定溝
【図１】
0006349299.tif 000002
【図２】
0006349299.tif 000003
【図３】
0006349299.tif 000004
【図４】
0006349299.tif 000005
【図５】
0006349299.tif 000006
【図６】
0006349299.tif 000007
【図７ａ】
0006349299.tif 000008
【図７ｂ】
0006349299.tif 000009
【図８】
0006349299.tif 000010
【図９ａ】
0006349299.tif 000011
【図９ｂ】
0006349299.tif 000012
【図９ｃ】
0006349299.tif 000013
【図１０】
0006349299.tif 000014
【図１１】
0006349299.tif 000015
【図１２】
0006349299.tif 000016
【図１３】
0006349299.tif 000017
【図１４】
0006349299.tif 000018
【図１５】
0006349299.tif 000019
【図１６】
0006349299.tif 000020
【図１７】
0006349299.tif 000021